(57)【特許請求の範囲】
【請求項１】
車両の車室前部にインストルメントパネルが設けられ、該インストルメントパネルに電子装置のパネルを形成するクラスターが設けられ、該クラスターに情報媒体を挿入可能な挿入用開口が形成されたクラスター用電子装置蓋構造において、前記挿入用開口に対し、挿入用開口上部に設けられた車幅方向へ延びる回動中心軸を中心として下端が車両前後方向へ回動可能なスイングドアを設け、
該スイングドアに対し、前記挿入用開口の最下端点と前記回動中心軸とを結ぶ線を基準として上方または車室内側へ延びる延長部を設けると共に、この延長部をスイングドアの上端部から面外へ張出すリブとすることにより、
誤挿入によって情報媒体が延長部のリブに引っ掛かると、スイングドアが車室内側へ回動して、スイングドアとクラスターとの間で情報媒体を挟み込むことにより、誤挿入を防止し得るよう構成したことを特徴とするクラスター用電子装置蓋構造。
【発明の詳細な説明】
【０００１】
【発明の属する技術分野】
この発明は、クラスター用電子装置蓋構造に関するものである。
【０００２】
【従来の技術】
自動車などの車両では、通常、車室前部のインストルメントパネル部分にオーディオ機器が取付けられるようになっている。このオーディオ機器には、例えば、ＣＤユニットなどがある。
【０００３】
上記ＣＤユニットには、ＣＤを１枚のみ装填可能な１枚差し仕様のものや、複数枚のＣＤを装填可能なインダッシュ式ＣＤチェンジャー機能を持つものなどが存在する。
【０００４】
そして、１枚差し仕様のＣＤユニットでは、ＣＤの差込口に対し蓋構造としてレザーシートなどの防塵布が設けられている。また、インダッシュ式ＣＤチェンジャー機能を持つＣＤユニットにおけるＣＤの挿入用開口は、その機能上、１枚差し仕様のＣＤユニットの差込口と比較して、高さ寸法が大きくなっている。そこで、インダッシュ式ＣＤチェンジャー機能を持つＣＤユニットでは、ＣＤの挿入用開口に対し蓋構造としてプッシュ式シャッターが設けられている。
【０００５】
なお、これに類似する技術としては、特開２００１−２３６７１２号公報や特開平１１−３３９４５６号公報等に記載されているようなものが知られている。
【０００６】
【発明が解決しようとする課題】
上記した１枚差し仕様のＣＤユニットとインダッシュ式ＣＤチェンジャー機能を持つＣＤユニットとで、オーディオのパネルの共用化を図ろうとした場合、高さ寸法が大きいインダッシュ式ＣＤチェンジャー機能を持つＣＤユニットの挿入用開口の方に、開口部の高さ寸法を合せる必要が生じることとなる。しかし、このようにした場合、開口部の蓋構造として、１枚差し仕様のＣＤユニットと同様の防塵布を設けると見栄えが良くないと言う問題が生じると共に、インダッシュ式ＣＤチェンジャー機能を持つＣＤユニットと同様のプッシュ式シャッターを設けると機構が複雑となってコストがかかると言う問題が生じる。
【０００７】
そこで、本発明の目的は、上記の問題点を解消し、コストを掛けずに見栄えを良くすることのできるクラスター用電子装置蓋構造を提供することにある。
【０００８】
【課題を解決するための手段】
上記課題を解決するために、請求項１に記載された発明では、車両の車室前部にインストルメントパネルが設けられ、該インストルメントパネルに電子装置のパネルを形成するクラスターが設けられ、該クラスターに情報媒体を挿入可能な挿入用開口が形成されたクラスター用電子装置蓋構造において、前記挿入用開口に対し、挿入用開口上部に設けられた車幅方向へ延びる回動中心軸を中心として下端が車両前後方向へ回動可能なスイングドアを設けたクラスター用電子装置蓋構造を特徴としている。
【０００９】
このように構成された請求項１にかかる発明によれば、挿入用開口にスイングドアを設けることにより、挿入用開口の高さ寸法を大きく設定することが可能となるので、インストルメントパネル内部に設置された電子装置、例えば、ＣＤユニットが、ＣＤを１枚のみ装填可能な１枚差し仕様のものであっても、複数枚のＣＤを装填可能なインダッシュ式ＣＤチェンジャー機能を持つものであっても、共用化することができる。また、１枚差し仕様のＣＤユニットが設けられる場合でも、挿入用開口にスイングドアが設けられているので、防塵布を設ける必要がなくなり、見栄えの悪化を招くことがない。更に、スイングドアという簡単な構造でシャッター機構を実現しているので、コストを抑えることができる。
【００１０】
また、請求項１に記載された発明では、前記スイングドアに対し、前記挿入用開口の最下端点と前記回動中心軸とを結ぶ線を基準として上方または車室内側へ延びる延長部を設けると共に、この延長部をスイングドアの上端部から面外へ張出すリブとすることにより、誤挿入によって情報媒体が延長部のリブに引っ掛かると、スイングドアが車室内側へ回動して、スイングドアとクラスターとの間で情報媒体を挟み込むことにより、誤挿入を防止し得るよう構成したクラスター用電子装置蓋構造を特徴としている。
【００１１】
このように構成された請求項１にかかる発明によれば、情報媒体を上方へ向けて誤挿入しようとした場合に、スイングドアに設けた延長部の面外へ張出すリブに情報媒体が引掛かることによって、スイングドアが車室内側へ回動し、スイングドアとクラスターとの間で情報媒体を挟み込むように作用するので、情報媒体の誤挿入を防止することができる。
【００１２】
【発明の実施の形態】
以下、本発明の具体的な実施の形態について、図示例と共に説明する。
【００１３】
図１〜図５は、この発明の実施の形態を示すものである。
【００１４】
まず、構成を説明すると、図１は自動車などの車両の車室１前部を示しており、この車両の車室１前部１にはインストルメントパネル２が設けられ、このインストルメントパネル２の車幅方向中央部分にはオーディオなどの電子装置のパネルを形成するクラスター３が設けられ、このクラスター３にはＣＤやＤＶＤなどの光媒体（情報媒体）ａ（図３〜図５参照）を挿入可能な挿入用開口４が形成されている。
【００１５】
そして、この挿入用開口４の奥部には、図２に示すように、ＣＤユニット５が対応させて設けられている。このＣＤユニット５には、クラスター３の挿入用開口４と対応する位置に、図示しない挿入用開口が形成されている。
【００１６】
クラスター３の挿入用開口４は、１枚差し仕様のＣＤユニット５とインダッシュ式ＣＤチェンジャー機能を持つＣＤユニット５とで、オーディオのパネルの共用化を図るために、高さ寸法が大きいインダッシュ式ＣＤチェンジャー機能を持つＣＤユニット５の挿入用開口４の方に、開口部の高さ寸法ｂを合せて形成している。なお、この挿入用開口４の上辺部には奥側へ向けて延びる案内用のフィン６が設けられている。
【００１７】
この実施の形態のものでは、挿入用開口４の内側に対し、挿入用開口４上部に設けられた車幅方向へ延びる回動中心軸７を中心として、下端が、図３に示すように、車両前後方向へ回動可能なスイングドア８を、蓋構造として設ける。なお、スイングドア８は、下端が自重で回動されるように構成されている。
【００１８】
このスイングドア８に対し、図２に示すように、挿入用開口４の最下端点９と回動中心軸７とを結ぶ線１０を基準として上方または車室１内側へ延びる延長部１１を設ける。
【００１９】
この実施の形態では、延長部１１は、スイングドア８の上端部から面外へ張出すリブとなっている。
【００２０】
次に、この実施の形態の作用について説明する。
【００２１】
挿入用開口４にスイングドア８を設けることにより、挿入用開口４の高さ寸法ｂを大きく設定することが可能となるので、インストルメントパネル２内部に設置されたＣＤユニット５が、ＣＤを１枚のみ装填可能な１枚差し仕様のものであっても、複数枚のＣＤを装填可能なインダッシュ式ＣＤチェンジャー機能を持つものであっても、共用化することができる。
【００２２】
また、１枚差し仕様のＣＤユニット５が設けられる場合でも、挿入用開口４にはスイングドア８が設けられているので、防塵布を設ける必要がなくなり、見栄えの悪化を招くことがない。
【００２３】
更に、スイングドア８という簡単な構造でシャッター機構を実現しているので、プッシュ式シャッターなどの特別な開閉機構が不要となり、その分、コストを抑えることができる。
【００２４】
そして、図４に示すように、光媒体ａを上方へ向けて誤挿入しようとした場合に、スイングドア８に設けた延長部１１に光媒体ａが引掛かることによって、図５に示すように、スイングドア８が車室１内側へ回動し、スイングドア８とクラスター３のフィン６との間で光媒体ａを挟み込むように作用するので、光媒体ａの誤挿入を防止することができる。
【００２５】
【発明の効果】
以上説明してきたように、請求項１の発明によれば、挿入用開口にスイングドアを設けることにより、挿入用開口の高さ寸法を大きく設定することが可能となるので、インストルメントパネル内部に設置された電子装置、例えば、ＣＤユニットが、ＣＤを１枚のみ装填可能な１枚差し仕様のものであっても、複数枚のＣＤを装填可能なインダッシュ式ＣＤチェンジャー機能を持つものであっても、共用化することができる。また、１枚差し仕様のＣＤユニットが設けられる場合でも、挿入用開口にスイングドアが設けられているので、防塵布を設ける必要がなくなり、見栄えの悪化を招くことがない。更に、スイングドアという簡単な構造でシャッター機構を実現しているので、コストを抑えることができる。
【００２６】
また、請求項１の発明によれば、情報媒体を上方へ向けて誤挿入しようとした場合に、スイングドアに設けた延長部の面外へ張出すリブに情報媒体が引掛かることによって、スイングドアが車室内側へ回動し、スイングドアとクラスターとの間で情報媒体を挟み込むように作用するので、情報媒体の誤挿入を防止することができる、という実用上有益な効果を発揮し得る。
【図面の簡単な説明】
【図１】本発明の実施の形態にかかる車室前部の斜視図である。
【図２】図１のクラスター部分の側方断面図である。
【図３】スイングドアの動きを示す図２と同様の側方断面図である。
【図４】図２と同様の作動図である。
【図５】図４に続く作動図である。
【符号の説明】
１    車室
２    インストルメントパネル
３    クラスター
４    挿入用開口
７    回動中心軸
８    スイングドア
９    最下端点
１０  線
１１  延長部
ａ    光媒体（情報媒体）
【図１】
0003672094.tif 000002
【図２】
0003672094.tif 000003
【図３】
0003672094.tif 000004
【図４】
0003672094.tif 000005
【図５】
0003672094.tif 000006